(57)【要約】【課題】替えブラシユニットの取り外しを別の替えブラシユニットを用いて実現できる歯ブラシの提供。【解決手段】歯ブラシ１００は歯ブラシ本体２０のヘッド部２２に着脱可能な替えブラシユニット３０を備え、ヘッド部２２は少なくとも掛止爪部Ｆ１を有するユニット受け板部２３を備え、替えブラシユニット３０は、ブラシ毛３２を植毛した植毛台３１の裏面から突出して掛止爪部Ｆ１に掛り止め可能な爪部Ｆ２とユニット受け板部２３の柄部２１側に植毛台３１の長手方向の一方端部３１ａが係合可能な湾曲状起立壁部２３ｇを有し、植毛台３１は一方端部３１ａから長手方向外側へ括れ状連結部３１ｅを介して突出した着脱用ピン３１ｆを有し、ヘッド部２２は、起立壁部２３ｇを分断する狭窄状溝部２３ｈを介して柄部２１側に形成されており、着脱用ピン３１ｆと嵌合可能な透孔２３ｉを有する。【選択図】      図１１
2007296221.tif 000002
【特許請求の範囲】
【請求項１】
歯ブラシ本体と、この歯ブラシ本体の柄部の先側であるヘッド部に着脱可能な替えブラシユニットとを備え、前記ヘッド部は前記替えブラシユニットを支持する受け板部を有し、前記受け板部は少なくとも掛止部を一体的に有し、前記替えブラシユニットは、植毛台に植毛して成るブラシ毛と、前記植毛台の裏面から突出して前記掛止部に掛り止め可能な被掛止部とを有し、前記受け板部の前記柄部側において前記植毛台の長手方向の一方端が係合可能な起立壁部を一体的に有し、前記植毛台は、前記一方端から長手方向外側へ括れ状連結部を介して突出して成る雄部を有し、前記ヘッド部は、前記起立壁部を分断する狭窄状溝部を介して前記柄部側に形成されており、前記雄部と嵌合可能な雌部を有する歯ブラシにおいて、
前記雌部は表裏貫通する透孔であって、前記雄部は当該透孔に嵌入する着脱用ピンであることを特徴とする歯ブラシ。
【請求項２】
請求項１に記載の歯ブラシにおいて、前記透孔に嵌入した前記着脱用ピンの下端位置は当該透孔の下開口位置と実質的に同じであることを特徴とする歯ブラシ。
【請求項３】
請求項１又は請求項２に記載の歯ブラシにおいて、前記着脱用ピンの下端面は凸面状であることを特徴とする歯ブラシ。
【請求項４】
請求項１乃至請求項３のいずれか一項に記載の歯ブラシにおいて、前記着脱用ピンは、上端から下方に向うに従い次第に縮径する先細状部分と、この先細状部分から下方に一様断面に延びる柱状部分とから成り、前記透孔は、前記先細状部分が嵌合する先細状孔部分と、前記柱状部分が嵌合する柱状孔部分とから成ることを特徴とする歯ブラシ。
【請求項５】
請求項１乃至請求項４のいずれか一項に記載の歯ブラシにおいて、前記着脱用ピンと前記透孔の断面形状は円形であることを特徴とする歯ブラシ。
【発明の詳細な説明】
【技術分野】
【０００１】
本発明は、歯ブラシ本体に替えブラシユニットを着脱可能な歯ブラシに関する。
【背景技術】
【０００２】
本件出願人は、ＷＯ２００３／９９０６２公報において、歯ブラシ本体に替えブラシユニットを着脱可能な歯ブラシを開示した。この歯ブラシは、歯ブラシ本体と、この歯ブラシ本体の柄部の先側であるヘッド部に着脱可能な替えブラシユニットとを備えている。ヘッド部は替えブラシユニットを支持するユニット受け板部を有し、このユニット受け板部は、少なくとも１箇所の位置決め貫通孔と、少なくとも柄部寄りの位置で表裏貫通し、孔内で孔壁から掛止部が一体的に張り出て成る掛止孔とを有する。一方、替えブラシユニットは、植毛台に植毛して成るブラシ毛と、植毛台の裏面から突出し、位置決め貫通孔に嵌入可能な挿し込み突起部と、植毛台の裏面から突出して掛止部に掛り止め可能な被掛止部とを有する。受け板部の柄部側においては植毛台の長手方向の一方端部が係合可能な案内起立壁部を一体的に形成されている。そして、植毛台は一方端部から長手方向外側へ括れ状連結部を介して突出して成る雄部を有し、ヘッド部は、案内起立壁部を分断する狭窄状溝部を介して柄部側に形成されており、雄部と嵌合可能な雌部を有する。この替えブラシユニットの交換の際は、ユニット受け板部と替えブラシユニットの植毛台との間に生じる隙間に対し、ヘラなどを差し込んで替えブラシユニットを受け板部から浮かせることにより、掛止部と被掛止部との掛り止めを解除し、替えブラシユニットをユニット受け板部から外し、新たな替えブラシユニットが装着できるようになっている。
【特許文献１】ＷＯ２００３／９９０６２公報（図３〜図７）
【発明の開示】
【発明が解決しようとする課題】
【０００３】
しかしながら、替えブラシユニットの取り外しの際はヘラなど適当な工具の使用を前提としているため、何時でも何処でも交換作業ができる訳ではない。
【０００４】
そこで、上記問題点に鑑み、本発明の課題は、替えブラシユニットの取り外しにおいて別の替えブラシユニットを用いて実現できる歯ブラシを提供することにある。
【課題を解決するための手段】
【０００５】
本発明は、歯ブラシ本体と、この歯ブラシ本体の柄部の先側であるヘッド部に着脱可能な替えブラシユニットとを備え、ヘッド部は替えブラシユニットを支持する受け板部を有し、受け板部は少なくとも掛止部を一体的に有し、替えブラシユニットは、植毛台に植毛して成るブラシ毛と、植毛台の裏面から突出して掛止部に掛り止め可能な被掛止部とを有し、受け板部の柄部側において植毛台の長手方向の一方端が係合可能な起立壁部を一体的に有し、植毛台は、一方端から長手方向外側へ括れ状連結部を介して突出して成る雄部を有し、ヘッド部は、起立壁部を分断する狭窄状溝部を介して柄部側に形成されており、雄部と嵌合可能な雌部を有する歯ブラシにおいて、雌部は表裏貫通する透孔であって、雄部は当該透孔に嵌入する着脱用ピンであることを特徴とする。
【０００６】
替えブラシユニットの交換においては、歯ブラシ本体に装着された使用済みの替えブラシユニットとは別の新しい替えブラシユニットが必ず準備されているものであるから、この新しい替えブラシユニットの着脱用ピンの下端をヘッド部の透孔の下開口に合わせて透孔内の着脱用ピンの下端を突き上げることにより、掛止部と被掛止部との掛り止めが解除して替えブラシユニットがヘッド部から勢い放り出されるように外れる。従って、替えブラシユニットの取り外し時には適当な工具を使用せずに、別の替えブラシユニットを用いて簡単に取り外すことができる。しかも、透孔と着脱用ピンとの嵌め合いにより嵌合深さが従来に比し長くなる分、着脱用ピンの透孔に対する投錨効果が強くなり、歯ブラシ使用時での替えブラシユニットの抜け耐力が増強する。例えば、歯ブラシ使用時、柄部を把持してブラシ毛を歯に噛んで引っ張って替えブラシユニットを外そうとすると、これはヘッド部を曲げることになると共に、着脱用ピンが透孔の下開口へ深くなる嵌め合いを締まり嵌めとして強くすることになるため、曲がれば曲がる程、着脱用ピンが透孔から一層抜け難くなる。更に、受け板部と替えブラシユニットの植毛台と間にヘラなどを差し込むための隙間を設けずに済むため、歯ブラシ使用時における受け板部の横断方向への替えブラシユニットの微少な倒れの繰返しを無くすことができるので、掛止部に対する被掛止部による摩滅等を防止でき、歯ブラシ本体の長寿命化を図ることができる。
【０００７】
ここで、着脱用ピンが長く、透孔の下開口から下方へ突出して露出している場合は、歯ブラシ使用時にその突出部分を指頭などで押し上げてしまうと、替えブラシユニットに緩みが生じ易くなるため、透孔に嵌入した着脱用ピンの下端位置は当該透孔の下開口位置と実質的に同じであることが望ましい。
【０００８】
着脱用ピンの下端面が平坦面であると、別の替えブラシユニットのピンの下端面が透孔の下開口の縁に当り易く、下端面同士の突き合わせ難い。そこで、直脱用ピンの下端面としては凸面状であることが望ましい。凸面状下端面同士が下開口の縁を位置決め限定域として中央部分で当り、突き合わせ易くなり、替えブラシユニットの取り外し作業がワンタッチ化する。
【０００９】
着脱用ピンは、上端から下方に向うに従い次第に縮径する先細状部分と、この先細状部分から下方に一様断面に延びる柱状部分とから成り、透孔は、先細状部分が嵌合する先細状孔部分と、柱状部分が嵌合する柱状孔部分とから成ることが望ましい。新しい替えブラシユニットの着脱用ピンを透孔に嵌め込む際、着脱用ピンの先端側である柱状孔部分に対して透孔の上開口側である先細状孔部分がガイド孔となるため、新しい替えブラシユニットの装着が容易となる。
【００１０】
着脱用ピンと透孔の断面形状は異形としても良いが、歯ブラシ本体は半恒久的使用であるため、透孔の孔壁の摩滅を極力抑制するには、着脱用ピンと透孔の断面形状は円形であることが望ましい。
【発明の効果】
【００１１】
本発明においては、替えブラシユニットの交換作業において別の替えブラシユニットだけがあれば何時でも何処でも即座の交換を実現でき、しかも、歯ブラシ使用時での替えブラシユニットの抜け耐力が増強し、更に、歯ブラシ本体の長寿命化を図ることができる。
【発明を実施するための最良の形態】
【００１２】
次に、本発明の実施例を添付図面に基づいて説明する。図１は本発明の実施例に係る歯ブラシを示す斜視図、図２は同歯ブラシの表側を示す部分斜視図、図３は同歯ブラシの裏側を示す部分斜視図、図４は同歯ブラシにおける歯ブラシ本体の表側を示す部分斜視図、図５は同歯ブラシ本体の裏側を示す部分斜視図、図６（ａ）は同歯ブラシ本体を示す部分平面図、図６（ｂ）は図６（ａ）中のＤ−Ｄ′に沿って切断した状態を示す縦断正面図、図６（ｃ）は同歯ブラシ本体の部分底面図、図７（ａ）は図６（ａ）におけるＡ−Ａ′に沿って切断した状態を示す断面図、図７（ｂ）は図６（ａ）におけるＢ−Ｂ′に沿って切断した状態を示す断面図、図７（ｃ）は図６（ａ）におけるＣ−Ｃ′に沿って切断した状態を示す断面図、図８は同歯ブラシにおける替えブラシユニットを裏側から見た状態を示す斜視図、図９（ａ）は同替えブラシユニットを示す平面図、図９（ｂ）は同替えブラシユニットの正面図、図１０（ａ）は図９（ａ）中のＡ−Ａ′に沿って切断した状態を示す断面図、図１０（ｂ）は図９（ａ）中のＢ−Ｂ′に沿って切断した状態を示す断面図、図１１（ａ）は同ユニット受け板部と同替えブラシユニットとが分離した状態を示す断面図、図１１（ｂ）は同ユニット受け板部と同替えブラシユニットとの取り付け完了状態を示す断面図である。
【００１３】
本例の歯ブラシ１００は、樹脂製の歯ブラシ本体２０の柄部（ハンドル）２１から一体的に連続して成るヘッド部２２にカートリッジ式の替えブラシユニット３０を着脱可能な替えブラシ毛式歯ブラシである。
【００１４】
歯ブラシ本体２０のヘッド部２２は平板状のユニット受け板部２３を有する。このユニット受け板部２３は、中心線上の略中央に設けた位置決め貫通孔２３ｄと、この貫通孔２３ｄより柄部２１寄り及び先端部において表裏貫通し、孔内で孔壁から掛止爪部Ｆ１が一体的に張り出てなる第１の掛止孔Ｘ１及び第２の掛止孔Ｘ２を有している。各掛止孔Ｘの裏面側には当該掛止孔Ｘをよりも浅く且つ広い窪みＷが形成されている。第１の掛止孔Ｘ１の窪みＷは当該孔Ｘ１の両側と柄部側に底面を有している。第２の掛止孔Ｘ２の窪みＷは当該孔Ｘ２の先端部側に底面を有している。第１の掛止孔Ｘ１の掛止爪部Ｆ１はユニット受け板部２３の中心線上で柄部２１側から位置決め貫通孔２３ｄ側へ幅広状に張り出ている。第２の掛止孔Ｘ２の掛止爪部Ｆ１はユニット受け板部２３の中心線上で先端部部側から位置決め貫通孔２３ｄ側へ幅広状に張り出ている。位置決め貫通孔２３ｄは緩いテーパー孔である。
【００１５】
一方、替えブラシユニット３０は、植毛台３１とこれに植毛したブラシ毛３２とからなり、植毛台３１は、略中央裏面から下方に突出し、ユニット受け板部２３の位置決め貫通孔２３ｄに圧入可能な挿し込み突起部３１ｃと、植毛台３１の裏面から突出して第１及び第２の掛止孔Ｘ１，Ｘ２に掛り止め可能な第１及び第２の被掛止爪片Ｙ１，Ｙ２とを有している。第１の被掛止爪片Ｙ１の爪部Ｆ２は植毛台３１の中心線で挿し込み突起部３１ｃ側から植毛台の長手方向一端部側へ幅広状に張り出て成る。第２の被掛止爪片Ｙ２の爪部Ｆ２は植毛台３１の中心線で挿し込み突起部３１ｃ側から植毛台の長手方向他端部側へ幅広状に張り出て成る。各爪部Ｆ２の幅は掛止爪部Ｆ１の幅よりも狭く、掛止爪部Ｆ１の上に水溜まりを形成せず、水抜き効果を発揮するようになっている。挿し込み突起部３１ｃは緩いテーパー状突起である。
【００１６】
歯ブラシ本体２０のヘッド部２２と柄部２１との間には、植毛台３１の長手方向の湾曲状の一方端部３１ａが係合可能な湾曲状案内起立壁部２３ｇを一体的に有している。そして、植毛台３１は、一方端部３１ａから長手方向外側へ括れ状連結部３１ｅを介して突出して成る先広状雄部としての着脱用ピン３１ｆを有し、ヘッド部２２は、湾曲状案内起立壁部２３ｇを分断する狭窄状溝部２３ｈを介して柄部２１側に形成され、着脱用ピン３１ｆと嵌合可能な先広状雌部としての透孔２３ｉを有している。括れ状連結部３１ｅの側面は勾配面であり、狭窄状溝部２３ｈの溝面は勾配面となっている。
【００１７】
着脱用ピン３１ｆの長さと透孔２３ｉの深さとは等しく、いずれの断面形状も円形である。着脱用ピン３１ｆの下端面は凸面Ｓとなっている。着脱用ピンピン３１ｆは、上端から下方に向うに従い次第に縮径するテーパー部分Ｔと、このテーパー部分から下方に一様断面に延びる円柱部分Ｋとから成り、透孔２３ｉは、テーパー部分Ｔが嵌合するテーパー孔部分Ｈ１と、円柱部分Ｋが嵌合する円柱孔部分Ｈ２とから成る。
【００１８】
ユニット受け板部２３に替えブラシユニット３０を取着する場合、即ち、ユニット受け板部２３の位置決め貫通孔２３ｄ及び掛止孔Ｘ１，Ｘ２に替えブラシユニット３０の挿し込み突起部３１ｃ及び被掛止爪片Ｙ１，Ｙ２を挿し込む際、替えブラシユニット３０の一方端部３１ａを湾曲状案内起立壁部２３ｇに係合するようにして、図１１（ａ）に示す如く、着脱用ピン３１ｆを透孔２３ｉに押し込み操作すると、括れ状連結部３１ｅが狭窄状溝部２３ｈに嵌ると共に、挿し込み突起部３１ｃ及び被掛止爪片Ｙ１，Ｙ２がユニット受け板部２３の位置決め貫通孔２３ｄ及び掛止孔Ｘ１，Ｘ２に進入し、被掛止爪片Ｙ１，Ｙ２の爪部Ｆ２の先端側が掛止爪部Ｆ１の上傾斜面に沿って屈曲状態で降下した後、図１１（ｂ）に示す如く、掛止孔Ｘ１，Ｘ２内の掛止爪部Ｆ１の裏面に被掛止爪片Ｙ１，Ｙ２の爪部Ｆ２が掛り止めされる。
【００１９】
ここで、替えブラシユニット３０の交換においては、歯ブラシ本体２０に装着された使用済みの替えブラシユニット３０とは別の新しい替えブラシユニットが必ず準備されているものであるから、図１１（ｂ）に示す如く、この新しい替えブラシユニットの着脱用ピン３１ｆの下端である凸面Ｓを透孔２３ｉの下開口に合わせて透孔２３ｉ内の着脱用ピン３１ｆの下端である凸面Ｓを突き上げることにより、掛止爪部Ｆ１と被掛止爪片Ｙ１，Ｙ２の爪部Ｆ２との掛り止めが解除して替えブラシユニット３０が勢い放り出されるように外れる。従って、替えブラシユニット３０の交換時には適当な工具を使用せずに、別の替えブラシユニット３０を用いて簡単に取り外すことができる。
【００２０】
また、透孔２３ｉと着脱用ピン３１ｆとの嵌め合いにより嵌合深さが従来に比し長くなる分、着脱用ピン３１ｆの透孔２３ｉに対する投錨効果が強くなり、歯ブラシ使用時での替えブラシユニット３０の抜け耐力が増強する。例えば、歯ブラシ使用時、柄部２１を把持してブラシ毛３２を歯に噛んで引っ張って替えブラシユニット３０を外そうとすると、これは柄部２１を曲げることになると共に、着脱用ピン３１ｆが透孔２３ｉの下開口へ深くなる嵌め合いを締まり嵌めとして強くすることになるため、曲がれば曲がる程、着脱用ピン３１ｆが透孔２３ｉから一層抜け難くなる。
【００２１】
更に、ユニット受け板部２３と替えブラシユニット３０の植毛台３１と間にヘラなどを差し込みための隙間を設けずに済むため、歯ブラシ使用時におけるユニット受け板部２３の横断方向への替えブラシユニット３０の微少な倒れの繰返しを無くすことができるので、掛止爪部Ｆ１に対する被掛止爪片Ｙ１，Ｙ２の爪部Ｆ２による摩滅等を防止でき、歯ブラシ本体２０の長寿命化を図ることができる。
【００２２】
透孔２３ｉに嵌入した着脱用ピン３１ｆの下端位置は当該透孔２３ｉの下開口位置と実質的に同じであるため、歯ブラシ使用時、凸面Ｓに指頭などが当り、着脱用ピン３１ｆを押し上げてしまう虞がない。
【００２３】
また、着脱用ピン３１の下端面が凸面Ｓとなっているため、替えブラシユニットの取り外し作業において、凸面Ｓと凸面Ｓとが透孔２３ｉの下開口の縁を位置決め限定域として中央部分で当り、突き合わせ易くなり、取り外し作業がワンタッチ化する。更に、ユニット受け板部２３に替えブラシユニット３０を取着する際、透孔２３ｉのテーパー孔部分Ｈ１がガイド孔となるため、着脱用ピン３１ｆの円柱部分Ｋを透孔２３ｉに嵌入し易くなる。
【図面の簡単な説明】
【００２４】
【図１】本発明の実施例に係る歯ブラシを示す斜視図である。
【図２】同歯ブラシの表側を示す部分斜視図である。
【図３】同歯ブラシの裏側を示す部分斜視図である。
【図４】同歯ブラシにおける歯ブラシ本体の表側を示す部分斜視図である。
【図５】同歯ブラシ本体の裏側を示す部分斜視図である。
【図６】（ａ）は同歯ブラシ本体を示す部分平面図、（ｂ）は（ａ）中のＤ−Ｄ′に沿って切断した状態を示す縦断正面図、（ｃ）は同歯ブラシ本体の部分底面図である。
【図７】（ａ）は図６（ａ）におけるＡ−Ａ′に沿って切断した状態を示す断面図、（ｂ）は図６（ａ）におけるＢ−Ｂ′に沿って切断した状態を示す断面図、（ｃ）は図６（ａ）におけるＣ−Ｃ′に沿って切断した状態を示す断面図である。
【図８】同歯ブラシにおける替えブラシユニットを裏側から見た状態を示す斜視図である。
【図９】（ａ）は同替えブラシユニットを示す平面図、（ｂ）は同替えブラシユニットの正面図である。
【図１０】（ａ）は図９（ａ）中のＡ−Ａ′に沿って切断した状態を示す断面図、（ｂ）は図９（ａ）中のＢ−Ｂ′に沿って切断した状態を示す断面図である。
【図１１】ａ）は同ユニット受け板部と同替えブラシユニットとが分離した状態を示す断面図、（ｂ）は同ユニット受け板部と同替えブラシユニットとの取り付け完了状態を示す断面図である。
【符号の説明】
【００２５】
２０…歯ブラシ本体
２１…柄部（ハンドル）
２２…ヘッド部
２３…ユニット受け板部
２３ｄ…位置決め貫通孔
２３ｇ…湾曲状案内起立壁部
２３ｈ…狭窄状溝部
２３ｉ…透孔
３０…替えブラシユニット
３１…植毛台
３１ａ…一方端部
３１ｃ…挿し込み突起部
３１ｅ…括れ状連結部
３１ｆ…着脱用ピン
３２…ブラシ毛
１００…歯ブラシ
Ｆ１…掛止爪部
Ｆ２…爪部
Ｈ１…テーパー孔部分
Ｈ２…円柱孔部分
Ｋ…円柱部分
Ｓ…凸面
Ｔ…テーパー部分
Ｗ…窪み
Ｘ１…第１の掛止孔
Ｘ２…第２の掛止孔
Ｙ１…第１の被掛止爪片
Ｙ２…第１の被掛止爪片
【図１】
2007296221.tif 000003
【図２】
2007296221.tif 000004
【図３】
2007296221.tif 000005
【図４】
2007296221.tif 000006
【図５】
2007296221.tif 000007
【図６】
2007296221.tif 000008
【図７】
2007296221.tif 000009
【図８】
2007296221.tif 000010
【図９】
2007296221.tif 000011
【図１０】
2007296221.tif 000012
【図１１】
2007296221.tif 000013